(57)【要約】      （修正有）【課題】香りを変化させ、かつその変化により時間を測定する事のできる香立または香皿を提供する。【解決手段】穴２、３、４、に対し線香５、６、７を設置、線香はそれぞれ異なる長さ、異なる香りを具備する。線香５の頂点に点火し辺Ａが燃焼する。Ａ燃焼後、線香５と６の接点において線香６に類焼を始める。これにより、次に辺Ｂが燃焼を開始する。この時、線香５と６が同時に燃焼され、２種の香りが混合し、結果として香りが変化する。Ｂ燃焼後、線香６と７の接点において、線香７に類焼を始める。これにより、次に辺Ｃが燃焼を開始する。この時、線香５、６、７の３種が同時に燃焼され、さらに香りが変化する。各辺の燃焼時間が５分であれば、５分毎に香りが変化し、１５分後に燃焼を終了する。長さと香りの異なる複数の線香を段階的に燃焼させる事で、香りの変化を楽しむとともにその香りの変化で時間を測定可能とする。【選択図】図３
2020115948.tif 000002
【特許請求の範囲】
【請求項１】
長さの違う複数の線香を段階的に燃焼させる事で、香りを変化させ、かつその変化により時間を測定する事のできる香立または香皿
【請求項２】
請求項１において、長さの違う複数の線香を段階的に燃焼できる形状に線香を組み立て可能とする、複数の線香を立てる穴を具備したもの
【請求項３】
請求項２において、香りの異なる複数の線香を組み合わせて段階的に燃焼させる事で、香りを変化させられるもの
【請求項４】
請求項３において、線香の長さおよび素材等により燃焼時間を調整し、段階的に燃焼させる事で、香りの変化により時間の経過を測定できるもの
【発明の詳細な説明】
【技術分野】
【０００１】
本発明は、長さの違う複数の線香を段階的に燃焼させる事で、香りを変化させ、かつその変化により時間を測定する事のできる香立または香皿に関する。
【背景技術】
【０００２】
線香の香りを楽しむために、1本また複数の香を立て、1本ずつまたは複数同時に燃焼をさせる香立または香皿は既に存在している。
また、線香自体の燃焼時間を調整する事を目的とした線香は既に存在している。
【先行技術文献】
【特許文献】
【０００３】
【特許文献１】実登３１７９４２４号公報
【特許文献２】特開２００７−１０４９５５号公報
【発明の概要】
【発明が解決しようとする課題】
【０００４】
しかしながら、本発明のように長さと香りの異なる複数の線香を組みあわせて香立または香皿に設置し、段階的に燃焼させる事で香りの変化を楽しんだり、その香りの変化で時間を測ったりする事のできる物は見られない。すなわち、既存の香立または香皿では単純に１本または複数の同じ香りの線香または、複数の違う香りの線香を同時に燃焼する事を目的としており、本発明の様に段階的に香りを変化させたり、その変化を時間測定に用いる事ができない。これにより、既存の技術では、来客時など時計を頻繁に気にする事が憚られるような状況において、相手に知られる事なく時間の経過を測定するなどの応用ができない。
【０００５】
そこで、この発明は、第一に、長さと香りの異なる複数の線香を組み合わせて設置し、段階的に燃焼させる事ができる。
【０００６】
第二に、長さと香りの異なる複数の線香を組み合わせて段階的に燃焼させる事で、香りの変化を楽しむ事ができる。
【０００７】
第三に、長さと香りの異なる複数の線香を組み合わせて段階的に燃焼させる事で、香りを変化させ、時間を測る事ができる。
【課題を解決するための手段】
【０００８】
以上の課題を解決するために、本発明は、長さと香りの異なる複数の線香を立てる事のできる、複数の設置穴を具備した香立または香皿である。
【発明の効果】
【０００９】
本発明に依れば、香立または香皿は複数の設置穴を具備しており、これを用いて長さと香りの異なる複数の線香を段階的に燃焼可能な組み合わせで設置可能であり、長さと香りの異なる複数の線香を段階的に燃焼させる事で、香りの変化を楽しむとともに、その香りの変化で時間を測定する事ができる。
【図面の簡単な説明】
【００１０】
【図１】本発明の形容を示す斜視図である。当該図においては線香を設置しておらず、本体のみを示している。尚、当該図は発明形容の一例であり、段階的に線香を燃焼させ、香りを変化させるとともに時間を測定する事が可能であれば、形状は当該図の通りに制限しない。
【図２】本発明の形容を示す側面からの断面図である。当該図において、線香を設置するための穴を３つ有する。尚、当該図は発明形容の一例であり、段階的に線香を燃焼させ、香りを変化させるとともに時間を測定する事が可能であれば、穴は必ずしもこの数に限る必要はなく、また大きさ、深さ、角度、位置もこの通りである必要はない。
【図３】本発明に線香を設置した状態における側面図である。尚、当該図は発明形容の一例であり、段階的に線香を燃焼させ、香りを変化させるとともに時間を測定する事が可能であれば、必ずしも線香の長さ、本数、設置方法はこの通りに限る必要はない。
【図４】本発明に線香を設置した状態における斜視図である。
【発明を実施するための形態】
【００１１】
「実施形態の効果」
この実施形態に依れば、香立または香皿の具備する複数の穴を用いる事で、長さと香りの異なる複数の線香を、段階的に燃焼させられる形態で設置できる。また、長さと異なる複数の線香を段階的に燃焼させる事で、香りを段階的に変化させる事ができる。また、香りを段階的に変化させる事で、時間の経過を測定する事ができる。これにより、従前の香立または香皿では実現できなかった、来客時など時計を頻繁に気にする事が憚られるような状況において、相手に知られる事なく時間の経過を測定するなどの応用が可能となる。
「他の実施形態」
段階的に線香を燃焼させ、香りを変化させるとともに時間を測定する事が可能であり、かつ線香の燃焼において香立または香皿本体の燃焼、融解または周囲への類焼などの恐れがなければ、本体の形状、素材、具備する穴の数は特に限定されない。また、香の種類、形状は線香に限る必要はなく、粉末、円錐形、その他いかなる形状でも構わないし、燃焼開始の為の着火点も１ヵ所に限らない。
【００１２】
以下、添付図面を参照しながら本発明の一実施形態を詳細に説明する。ただし、この形態は発明の一例であり、段階的に線香を燃焼させ、香りを変化させるとともに時間を測定する事が可能であれば、形容は当該図群の通りに制限しない。図面の説明において、同一又は同等の要素には同一符号を用い、重複する説明を省略する。
【００１３】
図１は発明の形容を示す斜視図である。本体１は陶器、磁器、鉱物、金属など、線香を立てて燃焼をしたのちに、本体自体の燃焼、融解等の損傷なく、香立または香皿として使用可能な素材であれば特にその素材を制限しない。本体１の形状は柱形をしており、線香を設置するための穴２、３、４が配置されている。
【００１４】
図２は発明の形容を示す側面断面図である。符号２、３、４、は図１の当該符号と一致しており、線香を設置するための穴である。段階的な線香の燃焼を実現するため、穴はそれぞれ約４５度の角度がつけられているまた、穴２、３と穴４は設置の向きが異なる。
【００１５】
図３は発明の形容を示す側面図である。穴２、３、４、に対し、線香５、６、７を設置した状態を示す。線香５、６、７はそれぞれ異なる長さ、異なる香りを具備しており、それぞれの長さの比率は３：２：１である。穴２、３、４により、当該図の通り線香は組み立てる事ができ、線香５は上部１／３の接点で線香６と垂直に接し、また線香６は１／２の接点で線香７と垂直に接する。実施形態によれば、線香５の頂点に点火する事により、まず辺Ａが燃焼する。Ａ燃焼後、線香５と６の接点において、６に類焼を始める。これにより、次に辺Ｂが燃焼を開始する。この時、線香５と６が同時に燃焼される事により、２種の香りが混合し、結果として香りが変化する。Ｂ燃焼後、線香６と７の接点において、７に類焼を始める。これにより、次に辺Ｃが燃焼を開始する。この時、線香５、６、７の３種が同時に燃焼される事により、さらに香りが変化する。この時、線香の燃焼速度は一定であり、かつ辺Ａ、辺Ｂ、辺Ｃは同じ長さである事より、香りの変化により時間を測定する事ができる。例えば、各辺の燃焼時間が５分であれば、５分毎に香りが変化し、１５分後に燃焼を終了する。これにより、来客時など時計を頻繁に気にする事が憚られるような状況において、相手に知られる事なく時間の経過を測定するなどの応用が可能となる。
【００１６】
図４は発明の形容を示す斜視図であり、本体に線香を設置した状態を示す。
【図１】
2020115948.tif 000003
【図２】
2020115948.tif 000004
【図３】
2020115948.tif 000005
【図４】
2020115948.tif 000006